(57)【要約】      （修正有）【課題】簡易な構成で、収納される引き出しの形状や大きさに応じて、その形状や大きさを変化させることができる収納容器を提供する。【解決手段】第１の容器片の底部のうち、第１乃至第３の側部が形成されていない辺側の端部を含む部分上に、第２の容器片の底部のうち、第１乃至第３の側部が形成されていない辺側、又は第１の側部が形成された辺側の端部を含む部分を載置するようにして形成された容器４０〜７０を配置する際、互いに隣接するように並列して配置することにより、収納容器１０を形成する。この収納容器１０は、例えば食器棚の引き出しに各容器２０〜７０をそれぞれ配置することにより、当該引き出しの形状や大きさに対応するように形成され、例えばスプーンやフォークなどの食器を収納する際には、食器の種類や大きさに応じて、複数の容器２０〜７０のうち、適切な容器を選択するようにして収納する。【選択図】図１
0003152128.tif 000002
【実用新案登録請求の範囲】
【請求項１】
４角形状の底部と、前記底部の４辺のうち、長手方向に対向する２辺のいずれか一方の辺上に形成された第１の側部と、幅方向に対向する辺上にそれぞれ形成された第２及び第３の側部とを有する第１の容器片と、
４角形状の前記底部と、前記底部の４辺のうち、長手方向に対向する２辺のいずれか一方の辺上に形成された前記第１の側部と、幅方向に対向する辺上にそれぞれ形成された前記第２及び第３の側部とを有し、幅方向におけるその外側の幅が、前記第１の容器片の内側の幅より短くなるように形成された第２の容器片と
を有し、前記第１の容器片の前記底部のうち、前記第１乃至第３の側部が形成されていない辺側の端部を含む部分上に、前記第２の容器片の前記底部のうち、前記第１乃至第３の側部が形成されていない辺側、又は前記第１の側部が形成された辺側の端部を含む部分を載置するようにして形成された容器を複数配置する際、互いに隣接するように並列して配置することにより形成された
ことを特徴とする収納容器。
【請求項２】
前記容器の長手方向と直交する方向に長手方向を有するように、少なくとも１つ以上の前記容器をさらに配置することにより形成された
ことを特徴とする収納容器。
【考案の詳細な説明】
【技術分野】
【０００１】
本考案は、収納容器に関する。
【背景技術】
【０００２】
例えば食器棚の引き出しに、スプーンやフォークなどの食器を収納する際、食器の種類や大きさに応じて分類するようにして収納するための収納容器が開発されている。かかる収納容器は、例えば食器棚の引き出しに収納され、収容容器内の所定位置に仕切りを設けることにより、収納容器を複数の区分に区分けし、収納する食器の種類や大きさに応じて、食器を適切な区分に配置するようにして収納する。
【考案の概要】
【考案が解決しようとする課題】
【０００３】
本考案は、簡易な構成で、収納される引き出しの形状や大きさに応じて、その形状や大きさを変化させることができる収納容器を提供することを目的とする。
【課題を解決するための手段】
【０００４】
本考案の一態様による収納容器は、
４角形状の底部と、前記底部の４辺のうち、長手方向に対向する２辺のいずれか一方の辺上に形成された第１の側部と、幅方向に対向する辺上にそれぞれ形成された第２及び第３の側部とを有する第１の容器片と、
４角形状の前記底部と、前記底部の４辺のうち、長手方向に対向する２辺のいずれか一方の辺上に形成された前記第１の側部と、幅方向に対向する辺上にそれぞれ形成された前記第２及び第３の側部とを有し、幅方向におけるその外側の幅が、前記第１の容器片の内側の幅より短くなるように形成された第２の容器片と
を有し、前記第１の容器片の前記底部のうち、前記第１乃至第３の側部が形成されていない辺側の端部を含む部分上に、前記第２の容器片の前記底部のうち、前記第１乃至第３の側部が形成されていない辺側、又は前記第１の側部が形成された辺側の端部を含む部分を載置するようにして形成された容器を複数配置する際、互いに隣接するように並列して配置することにより形成された。
【考案の効果】
【０００５】
本考案の収納容器によれば、簡易な構成で、収納される引き出しの形状や大きさに応じて、その形状や大きさを変化させることができる。
【図面の簡単な説明】
【０００６】
【図１】本考案の実施の形態による収納容器の構成を示す斜視図である。
【図２】同収納容器を形成する容器の構成を示す斜視図である。
【図３】同容器の構成を示す側面図である。
【図４】他の実施の形態による収納容器の構成を示す斜視図である。
【考案を実施するための形態】
【０００７】
以下、本考案の実施の形態について図面を参照して説明する。
【０００８】
図１に、本考案の実施の形態による収納容器１０の構成を示す。この収納容器１０は、それぞれ異なる形状や大きさを有する複数の容器２０〜７０を、所望の位置に配置することにより形成される。
【０００９】
この収納容器１０は、例えば食器棚の引き出しに各容器２０〜７０をそれぞれ配置することにより、当該引き出しの形状や大きさに対応するように形成され、例えばスプーンやフォークなどの食器を収納する際には、食器の種類や大きさに応じて、複数の容器２０〜７０のうち、適切な容器を選択するようにして収納する。
【００１０】
これら各容器２０〜７０は、いずれも同一の構成を有し、ここでは容器２０の構成を例に挙げて説明する。図２（Ａ）に示すように、容器２０は、容器片８０と容器片９０とを有し、これら容器片８０及び９０は、いずれも同一の構成を有する。
【００１１】
具体的には、容器片８０は、４角形状の底部８０Ａと、当該底部８０Ａの４辺のうち、幅方向（図中Ｙ方向）に対向する辺上に形成された４角形状の側部８０Ｂ及び８０Ｃと、長手方向（図中Ｘ方向）に対向する２辺のうち、一方の辺上に形成された４角形状の側部８０Ｄとによって形成される。
【００１２】
同様にして、容器片９０は、４角形状の底部９０Ａと、当該底部９０Ａの４辺のうち、幅方向（図中Ｙ方向）に対向する辺上に形成された４角形状の側部９０Ｂ及び９０Ｃと、長手方向（図中Ｘ方向）に対向する２辺のうち、一方の辺上に形成された４角形状の側部９０Ｄとによって形成される。
【００１３】
ところで、本実施の形態の場合、幅方向（図中Ｙ方向）における、容器片８０の内側の幅Ｌ１０（図３）は、容器片９０の外側の幅Ｌ２０（図３）より僅かに長くなるように形成されている。
【００１４】
これにより、図２（Ｂ）に示すように、容器片８０の底部８０Ａのうち、側部８０Ｂ〜８０Ｄが形成されていない辺側の端部を含む部分上に、容器片９０の底部９０Ａのうち、側部９０Ｂ〜９０Ｄが形成されていない辺側の端部を含む部分を載置することにより、食器を収納するための容器２０を形成する。
【００１５】
この場合、長手方向（図中Ｘ方向）に、容器片９０が容器片８０を摺動するようにして、容器片８０又は９０を移動させれば、容器片８０及び９０が重なる部分の面積を変化させることができ、これにより、長手方向（図中Ｘ方向）における容器２０の長さを変化させることができる。
【００１６】
なお、容器３０〜７０についても、容器２０と同様の構成を有し、容器３０〜７０を形成する容器片を長手方向に移動させることにより、長手方向における容器３０〜７０の長さを変化させることができる。
【００１７】
従って、例えば食器棚の引き出しに各容器２０〜７０を配置して収納容器１０を形成する際、容器４０〜７０の長さを変化させれば、図中Ｘ方向における引き出しの長さに対応するようにして、図中Ｘ方向における収納容器１０の長さを調整することができる。
【００１８】
また、容器５０〜７０のうちいずれかの容器を取り除くか、又は容器５０〜７０と同一の長さを有するように調整された別の容器を容器５０〜７０と並列して配置した上で、図中Ｘ方向に配置された容器における図中Ｙ方向の長さに応じて、容器２０及び３０の長さを変化させれば、図中Ｙ方向における引き出しの長さに対応するようにして、図中Ｙ方向における収納容器１０の長さを調整することができる。
【００１９】
このように本実施の形態によれば、簡易な構成で、引き出しの形状や大きさに対応するようにして、その形状や大きさを変化させることができる収納容器１０を実現することができる。
【００２０】
なお、上述の実施の形態は一例であって、本考案を限定するものではない。例えば図２（Ｃ）に示すように、容器片８０の底部８０Ａのうち、側部８０Ｂ〜８０Ｄが形成されていない辺側の端部を含む部分上に、容器片９０の底部９０Ａのうち、側部９０Ｄが形成された辺側の端部を含む部分を載置することにより、容器１００を形成するようにしても良い。
【００２１】
また、図４に示すように、容器６０及び７０を容器２０及び３０と並列して配置した上で、図中Ｙ方向に配置された容器２０、３０、６０及び７０における図中Ｘ方向の長さに応じて、容器４０及び５０の長さを変化させることにより、収納容器１１０を形成するようにしても良い。
【００２２】
因みに、第１の容器片に対応する容器片８０は、４角形状の底部８０Ａと、底部８０Ａの４辺のうち、長手方向に対向する２辺のいずれか一方の辺上に形成された第１の側部８０Ｄと、幅方向に対向する辺上にそれぞれ形成された第２及び第３の側部８０Ｂ及び８０Ｃとを有する。
【００２３】
また、第２の容器片に対応する容器片９０は、４角形状の底部９０Ａと、底部９０Ａの４辺のうち、長手方向に対向する２辺のいずれか一方の辺上に形成された第１の側部９０Ｄと、幅方向に対向する辺上にそれぞれ形成された第２及び第３の側部９０Ｂ及び９０Ｃとを有し、幅方向におけるその外側の幅Ｌ２０が、容器片８０の内側の幅Ｌ１０より短くなるように形成されている。
【００２４】
また、容器片８０の底部８０Ａのうち、第１乃至第３の側部８０Ｂ〜８０Ｄが形成されていない辺側の端部を含む部分上に、容器片９０の底部９０Ａのうち、第１乃至第３の側部９０Ｂ〜９０Ｄが形成されていない辺側、又は第１の側部９０Ｄが形成された辺側の端部を含む部分を載置するようにして形成された容器４０〜７０を複数配置する際、互いに隣接するように並列して配置することにより、収納容器１０を形成する。
【００２５】
また、容器４０〜７０の長手方向と直交する方向に長手方向を有するように、少なくとも１つ以上の容器２０及び３０をさらに配置することにより、収納容器１０を形成する。
【符号の説明】
【００２６】
１０、１１０  収納容器
２０〜７０、１００  容器
８０Ａ、９０Ａ  底部
８０Ｂ〜８０Ｄ、９０Ｂ〜９０Ｄ  側部
【図１】
0003152128.tif 000003
【図２】
0003152128.tif 000004
【図３】
0003152128.tif 000005
【図４】
0003152128.tif 000006
【手続補正書】
【提出日】平成21年5月15日(2009.5.15)
【手続補正１】
【補正対象書類名】実用新案登録請求の範囲
【補正対象項目名】請求項２
【補正方法】変更
【補正の内容】
【請求項２】
前記容器の長手方向と直交する方向に長手方向を有するように、少なくとも１つ以上の前記容器をさらに配置することにより形成された
ことを特徴とする請求項１に記載の収納容器。